(57)【特許請求の範囲】
【請求項１】
床スラブに貫通孔を形成するにあたり、コンクリート打設前のデッキプレート上にスリーブを設置するスリーブ設置方法であって、
前記デッキプレートに取付孔を貫通形成する孔形成工程と、
下端部に係止部を設けた棒状部材で該棒状部材と前記係止部とのなす角度が６０°以上７０°以下となっていて前記棒状部材の中間位置には螺着される落下防止部を設けた前記棒状部材を用いて、前記デッキプレート上から前記取付孔に対し、前記係止部を差込み、当該係止部を前記デッキプレートの下面に係止させると共に前記棒状部材を前記デッキプレート上に立設させる棒状部材配置工程と、
前記棒状部材を取り囲むように前記デッキプレート上に前記スリーブを配置するスリーブ配置工程と、
前記スリーブ上に所定の蓋部材を被せつつ、当該蓋部材に形成された挿通孔に対し前記棒状部材を挿通させる蓋部材配置工程と、
前記蓋部材から突出した前記棒状部材の上部に所定の固定部材を締付けにより取付け、前記蓋部材と前記デッキプレートとで前記スリーブを挟みつつ前記係止部の先端部からの応力を前記デッキプレートの下面に作用させることで前記スリーブを固定する固定工程と
を備えたことを特徴とするスリーブ設置方法。
【請求項２】
前記棒状部材と前記係止部とのなす角度が７０°となっていることを特徴とする請求項１に記載のスリーブ設置方法。
【請求項３】
床スラブに貫通孔を形成するにあたり、コンクリート打設前のデッキプレート上にスリーブを設置するためのスリーブ設置用治具であって、
前記デッキプレートに形成された取付孔に差込まれ、前記デッキプレート上に立設される棒状部材と、
前記棒状部材の下端部に設けられ、前記棒状部材とのなす角度が６０°以上７０°以下となっている前記デッキプレートの下面に係止される係止部と、
前記棒状部材を挿通可能な挿通孔を有し、前記棒状部材を取り囲むように前記デッキプレート上に配置されたスリーブ上に被せられる蓋部材と、
前記蓋部材から突出した前記棒状部材の上部に締付けにより取付けられ、前記蓋部材を介して前記スリーブを前記デッキプレートへ押圧固定する固定部材と
を備え、
前記固定部材の締付けにより前記蓋部材と前記デッキプレートとで前記スリーブを挟みつつ前記係止部の先端部からの応力を前記デッキプレートの下面に作用させることで前記スリーブが固定されるよう構成されてなるスリーブ設置用治具。
【請求項４】
前記棒状部材と前記係止部とのなす角度が７０°となっていることを特徴とする請求項３に記載のスリーブ設置用治具。
【請求項５】
前記棒状部材には、前記デッキプレートの取付孔からの自身の落下を防止するための落下防止部が設けられていることを特徴とする請求項３又は４に記載のスリーブ設置用治具。
【請求項６】
前記蓋部材から突出した前記棒状部材の上端部に被せられるキャップ部材を備えたことを特徴とする請求項３乃至５のいずれかに記載のスリーブ設置用治具。
【発明の詳細な説明】
【技術分野】
【０００１】
本発明は、床スラブに貫通孔を形成するにあたり、コンクリート打設前のデッキプレート上にスリーブを設置するためのスリーブ設置方法、及び、当該スリーブ設置方法において使用されるスリーブ設置用治具に関するものである。
【背景技術】
【０００２】
一般的に、ビルや工場等の建物が鉄骨造（Ｓ造）などの場合には、鋼鉄製のデッキプレートを鉄骨梁上に多数並べて、この上に補強用の鉄筋を配筋した後、コンクリートが打設されることで床スラブが構築される。
【０００３】
この床スラブには、給水管や配線等を階下へと通す貫通孔を形成する必要があるため、通常は、このような貫通孔を形成する位置に対応して予めコンクリート打設前のデッキプレート上にスリーブを設置しておく。
【０００４】
従来のスリーブの設置作業は、例えば以下のように行われていた。まずスリーブの周囲に複数の取付ピースを取付け、当該取付ピースを介して当該スリーブをデッキプレート上にビス止め固定する。そして、スリーブ設置後には、当該スリーブ内にコンクリートが流れ込まないよう、その開口部を管封テープで塞ぐ。さらに、コンクリート打設後には、スリーブ内に配管、ダクトや電気ケーブルラック、電線管などを配置する工程を司る設備業者とは別の、建屋工事側建設業者の次なる工程が始まるまでに管封テープを剥がし、これに代えてスリーブ開口部に転落防止用の養生蓋を、前記設備業者により取付ける。
【０００５】
上述したような各種作業は、床スラブを構築する建設業者の作業工程を確認しながら、タイミングを計って給水管等を配管する設備業者が行わなければならないため、工期も短く、作業日程を組むことが難しかった。
【０００６】
また、スリーブの設置と、養生蓋の設置とを別々のタイミングで行わなければならないため、手間数が増え、より多くの作業員が必要となるため、人件費を増大させる要因となっていた。
【０００７】
特に複数フロアを有する建物においては、各フロアごとに作業進行が異なることから、上記不具合がより顕著に現れるおそれがある。
【０００８】
これに対し、スリーブの設置と養生蓋の設置とを同時に行う技術も提案されている。例えばコンクリート打設前のデッキプレート上にボルト等を立設すると共に、当該ボルトを取り囲むようにスリーブを設置し、当該ボルトを挿通可能な挿通孔を有した養生蓋によってスリーブ開口部を塞ぎ、当該養生蓋から突出したボルト上部にナットを螺合し、当該ナットを締めることにより養生蓋の抜け落ちを防止すると共に、当該養生蓋とデッキプレートとでスリーブを挟んで固定する技術が開示されている（例えば、特許文献１参照）。
【先行技術文献】
【特許文献】
【０００９】
【特許文献１】実開昭６２−５９２４０号公報
【発明の概要】
【発明が解決しようとする課題】
【００１０】
しかしながら、上記特許文献１等の従来技術では、デッキプレート上にボルト等を立設するにあたり、当該ボルト等を複数のビス等により固定する必要がある。そのため、スリーブ自体を取付ピース等により固定する場合と同様、非常に多くの手間や時間のかかる作業を要する。ひいては、多くの作業員を要し、人件費が増加するおそれがある。
【００１１】
近年では、１フロアが広くフロア数の多い建物も増えてきていることから、スリーブの設置数も多くなり、上記不具合がより顕著に現れることが懸念される。
【００１２】
本発明は、上記事情に鑑みてなされたものであり、その目的は、作業者の手間数の削減、工事時間の短縮、コスト削減等を図ることのできるスリーブ設置方法及びスリーブ設置用治具を提供することにある。
【課題を解決するための手段】
【００１３】
以下、上記課題を解決するのに適した各手段につき項分けして説明する。なお、必要に応じて対応する手段に特有の作用効果を付記する。
【００１４】
手段１．床スラブに貫通孔を形成するにあたり、コンクリート打設前のデッキプレート上にスリーブを設置するスリーブ設置方法であって、
前記デッキプレートに取付孔を貫通形成する孔形成工程と、
下端部に係止部を設けた棒状部材で該棒状部材と前記係止部とのなす角度が６０°以上７０°以下となっていて前記棒状部材の中間位置には螺着される落下防止部を設けた前記棒状部材を用いて、前記デッキプレート上から前記取付孔に対し、前記係止部を差込み、当該係止部を前記デッキプレートの下面に係止させると共に前記棒状部材を前記デッキプレート上に立設させる棒状部材配置工程と、
前記棒状部材を取り囲むように前記デッキプレート上に前記スリーブを配置するスリーブ配置工程と、
前記スリーブ上に所定の蓋部材を被せつつ、当該蓋部材に形成された挿通孔に対し前記棒状部材を挿通させる蓋部材配置工程と、
前記蓋部材から突出した前記棒状部材の上部に所定の固定部材を締付けにより取付け、前記蓋部材と前記デッキプレートとで前記スリーブを挟みつつ前記係止部の先端部からの応力を前記デッキプレートの下面に作用させることで前記スリーブを固定する固定工程と
を備えたことを特徴とするスリーブ設置方法。
【００１５】
上記手段１によれば、コンクリート打設前において、棒状部材の下端部に設けられた係止部をデッキプレート上から取付孔に差込み、当該係止部をデッキプレートの下面に係止させると共に棒状部材をデッキプレート上に立設させた後、その周囲にスリーブを配置し、当該スリーブに蓋部材を被せ、当該蓋部材から突出した棒状部材の上部に固定部材を取付け、蓋部材を介してスリーブをデッキプレートへ押し付けることにより、当該スリーブをデッキプレート上に固定する構成となっている。
【００１６】
これにより、スリーブの設置作業と、それを塞ぐ蓋部材の設置作業とを同時に行うことができるため、コンクリート打設後に蓋部材を取付ける作業や、コンクリート打設前のデッキプレート上にスリーブや棒状部材等をビス止め固定する作業などを省略することができる。
【００１７】
特にデッキプレート上に鉄筋を配筋した後、その隙間をぬってデッキプレート上にスリーブや棒状部材等をビス止め固定する作業は、非常に面倒で手間のかかる作業となる。これに対し、本手段では、鉄筋の隙間に手を差し込んで棒状部材のビス止め作業を行う必要もなく、より簡単に棒状部材の設置を行うことができる。
【００１８】
また、デッキプレート上へのビス止め作業は、ボルト立設の取付板への、小さな長さ寸法であるビス差込を、配筋の隙間から行ったり、その状態での締結作業を行うため、作業者が座り込んで行う必要があり、多くのスリーブを設置する場合には、立ったり座ったりの連続作業が続くことに加え、座り込んだ状態での作業時間も長くなるため、作業者への負担が大きい。これに対し、本手段では、立ち姿勢のまま、スリーブや棒状部材等の設置作業を簡単に短時間で行うことができるため、作業者にかかる負担を軽減し、作業効率を向上させることができる。
【００１９】
また、本手段では、スリーブや棒状部材等を設置するにあたり、デッキプレート上の１箇所に取付孔を形成するだけで良いため、複数箇所にビス止めを行う従来技術のように、その作業中にスリーブや棒状部材等の設置位置がずれてしまうおそれも少ない。
【００２０】
また、スリーブや棒状部材等を固定するためのビスや取付台等を必要としないため、部品点数の削減を図ることができると共に、蓋部材や棒状部材等の取外しや再利用も行い易くなる。
【００２１】
尚、デッキプレートに形成した取付孔に対し、デッキプレート下面側（階下側）から棒状部材等を差し込み立設する方法も考えられるが、かかる方法では、階下で足場を組んだ高所作業を要すると共に、作業員１人で実施ができない作業となるため、安全性や作業性が著しく低下するおそれがある。これに対し、本手段によれば、作業員１人でデッキプレート上面側（階上側）にて作業を行うことができる。
【００２２】
結果として、本手段によれば、作業者の手間数の削減、工事時間の短縮、コスト削減等を図ることができる。
【００２３】
また、係止部をデッキプレートの取付孔に差込みやすく、デッキプレート下面に安定して係止させることができる。
【００２４】
手段２．前記棒状部材と前記係止部とのなす角度が７０°となっていることを特徴とする手段１に記載のスリーブ設置方法。
【００２５】
手段３．床スラブに貫通孔を形成するにあたり、コンクリート打設前のデッキプレート上にスリーブを設置するためのスリーブ設置用治具であって、
前記デッキプレートに形成された取付孔に差込まれ、前記デッキプレート上に立設される棒状部材と、
前記棒状部材の下端部に設けられ、前記棒状部材とのなす角度が６０°以上７０°以下となっている前記デッキプレートの下面に係止される係止部と、
前記棒状部材を挿通可能な挿通孔を有し、前記棒状部材を取り囲むように前記デッキプレート上に配置されたスリーブ上に被せられる蓋部材と、
前記蓋部材から突出した前記棒状部材の上部に締付けにより取付けられ、前記蓋部材を介して前記スリーブを前記デッキプレートへ押圧固定する固定部材と
を備え、
前記固定部材の締付けにより前記蓋部材と前記デッキプレートとで前記スリーブを挟みつつ前記係止部の先端部からの応力を前記デッキプレートの下面に作用させることで前記スリーブが固定されるよう構成されてなるスリーブ設置用治具。
【００２６】
上記手段３のスリーブ設置用治具を使用することにより、上記手段１のスリーブ設置方法を実施することができ、上記手段１と同様の作用効果が奏される。
【００２７】
また、本手段のスリーブ設置用治具を使用することにより、径の異なる多様なスリーブに対応することができ、汎用性を高めることができる。
【００２８】
手段４．前記棒状部材と前記係止部とのなす角度が７０°となっていることを特徴とする手段３に記載のスリーブ設置用治具。
【００２９】
手段５．前記棒状部材には、前記デッキプレートの取付孔からの自身の落下を防止するための落下防止部が設けられていることを特徴とする手段３又は４に記載のスリーブ設置用治具。
【００３０】
上記手段５によれば、作業者が誤って手を離しても、落下防止部がデッキプレートの取付孔の縁に引っ掛かり、棒状部材が階下に落下するのを防止することができ、安全性を向上させることができる。
【００３１】
手段６．前記蓋部材から突出した前記棒状部材の上端部に被せられるキャップ部材を備えたことを特徴とする手段３乃至５のいずれかに記載のスリーブ設置用治具。
【００３２】
上記手段６によれば、作業者の安全性を高めると共に、棒状部材の上端部にコンクリートが付着し、蓋部材を取外せなくなる等の不具合を防止することができる。
【図面の簡単な説明】
【００３３】
【図１】棒状部材を傾け、デッキプレート上から取付孔に対し係止部の先端を差込んだ状態を示す部分断面図である。
【図２】棒状部材をデッキプレートに垂直となるよう立設した状態を示す部分断面図である。
【図３】デッキプレート上に鋼管スリーブを配置した状態を示す部分断面図である。
【図４】鋼管スリーブ上に蓋部材を被せた状態を示す部分断面図である。
【図５】棒状部材の上部に固定部材等を取付けた状態を示す部分断面図である。
【図６】デッキプレート上にコンクリートが打設された状態を示す部分断面図である。
【発明を実施するための形態】
【００３４】
以下、本発明の一実施形態を図１乃至６を参照して説明する。図１乃至６は、コンクリート打設前の鋼鉄製のデッキプレート５０上に鋼管スリーブ６０を設置する手順を説明するための図である。
【００３５】
先ずは本発明に係るスリーブ設置用治具の一例について説明する。スリーブ設置用治具１は、棒状部材２と、当該棒状部材２の下端部に形成された係止部３と、鋼管スリーブ６０上に被せられる蓋部材４と、棒状部材２の上部に取付けられる固定部材５と、棒状部材２の中間位置に取付けられた落下防止部材（落下防止部）６と、棒状部材２の上端部に被せられるキャップ部材７とを備えている。
【００３６】
本実施形態の棒状部材２は、全長にわたりその外周部にねじ山が刻設された、いわゆる全ねじボルトと称される鋼鉄製の既存の長尺ボルトを利用して形成されている。但し、便宜上、各図面においては、ねじ山の図示を省略する。また、棒状部材２の太さは、後述するデッキプレート５０に開口形成される直径１２ｍｍの取付孔５１に対応して、約１０ｍｍに設定されている。但し、この径は、他の太さの全ねじボルトの径でも良く、他の径の場合、取付孔５１の開口径は、全ねじボルトである棒状部材の径の＋２ｍｍ程度とすればよい。
【００３７】
係止部３は、棒状部材２の下端部を鉤状（Ｌ字状）に折り曲げることにより形成されている。本実施形態では、棒状部材２と係止部３とのなす角度αが７０°となるように形成されている（図１参照）。
【００３８】
蓋部材４は、鋼管スリーブ６０上端の開口部を塞ぐように、当該鋼管スリーブ６０の形状に合せて形成された鋼鉄製の平板や、平板の裏に鋼管スリーブ６０径に合わせた突起を有する下駄状の板や、茶筒の蓋状に折り曲げられた形状のものからなり、その中央部には前記棒状部材２が挿通される挿通孔４ａが形成されている。挿通孔４ａの径は、デッキプレート５０の取付孔５１と同様、直径１２ｍｍに設定されている。
【００３９】
固定部材５及び落下防止部材６は、棒状部材２に螺着可能な既存のナットを利用して形成されている。
【００４０】
固定部材５は、蓋部材４を介して鋼管スリーブ６０をデッキプレート５０へ押圧固定するためのものであり、落下防止部材６は、デッキプレート５０の取付孔５１からの棒状部材２の落下を防止するためのものである。
【００４１】
キャップ部材７は、作業者の安全性を高めるためのものであり、ゴム材料や樹脂材料等により形成されている。
【００４２】
次に、上記のように構成されたスリーブ設置用治具１を用いたスリーブ設置方法について説明する。
【００４３】
先ずはコンクリート打設前のデッキプレート５０上にて、鋼管スリーブ６０を設置する位置を墨出しする。墨出しは種々の方法が採れるが、最も簡易な方法として鋼管スリーブ６０の中心軸位置を、直交する２直線で墨出しするだけでも可である。そして、墨出しした鋼管スリーブ６０の設置位置の中心に直径１２ｍｍの取付孔５１を貫通形成する。かかる工程が本実施形態における孔形成工程に相当する。
【００４４】
次に図１に示すように、棒状部材２を傾け、デッキプレート５０上から取付孔５１に対し係止部３の先端を差込む。そして、係止部３をその根元まで差し込んだ後、棒状部材２を起こして、デッキプレート５０に垂直となるよう立設する。これにより、図２に示すように、係止部３がデッキプレート５０の下面側に係止された状態となる。かかる一連の工程が本実施形態における棒状部材配置工程に相当する。ここで、仮に作業者が棒状部材２から手を離してしまったとしても、落下防止部材６により、棒状部材２がデッキプレート５０の取付孔５１から抜け落ちてしまうことは防止される。これにより、階下がある場合でも、落下防止の階下からの養生を省略できる。
【００４５】
次に図３に示すように、棒状部材２が中心を通るように、デッキプレート５０上に鋼管スリーブ６０を、棒状部材２にかぶせるように移動して、棒状部材２に同心円状に配置する。かかる工程が本実施形態におけるスリーブ配置工程に相当する。なお、鋼管スリーブ６０の設置作業を作業者が一人で行う場合等には、作業性を高めるため、一旦、棒状部材２から手を離し、デッキプレート５０上に落下防止部材６を引っ掛けて保持させておいてもよい。
【００４６】
次に図４に示すように、棒状部材２の上端側を蓋部材４の挿通孔４ａに挿通させつつ、当該蓋部材４を鋼管スリーブ６０に被せ、鋼管スリーブ６０の開口部を塞ぐ。かかる工程が本実施形態における蓋部材配置工程に相当する。
【００４７】
続いて図５に示すように、蓋部材４から突出した棒状部材２の上部にワッシャ８を介して固定部材５を螺着する。そして、固定部材５を締め付けていくことにより、蓋部材４を介して鋼管スリーブ６０をデッキプレート５０へ押圧する。これにより、鋼管スリーブ６０は、デッキプレート５０と蓋部材４とに挟み込まれた状態となり、固定される。かかる工程が本実施形態における固定工程に相当する。
【００４８】
最後に、蓋部材４から突出した棒状部材２の上端部にキャップ部材７に被せることで、鋼管スリーブ６０の設置作業が完了する。
【００４９】
そして、図６に示すように、デッキプレート５０上にコンクリート６５が打設され、床スラブ７０が完成した後（コンクリート６５が固結した後）には、鋼管スリーブ６０は、固結したコンクリート６５の押圧力と、コンクリート６５自体の形状保持性により、取外し不能に保持される。
【００５０】
また、床スラブ７０の完成後に配管工事等を行う際には、上記手順とは逆の順序で、キャップ部材７、固定部材５、蓋部材４、棒状部材２を取り外す。そして、鋼管スリーブ６０内のデッキプレート５０に取付孔５１を基準にして平面視スリーブ内にあるデッキプレート５０の鋼板を切除して、貫通孔（図示略）を形成し、当該貫通孔を介して配管工事等が行われる。
【００５１】
以上詳述したように、本実施形態によれば、鋼管スリーブ６０の設置作業と、それを塞ぐ蓋部材４の設置作業とを同時に行うことができるため、コンクリート６５打設後に蓋部材４を取付ける作業や、コンクリート６５打設前のデッキプレート５０上に鋼管スリーブ６０や棒状部材２等をビス止め固定する作業などを省略することができる。
【００５２】
特にデッキプレート５０上に鉄筋を配筋した後、その隙間をぬってデッキプレート５０上に鋼管スリーブ６０や棒状部材２等をビス止め固定する作業は、非常に面倒で手間のかかる作業となる。これに対し、本実施形態では、鉄筋の隙間に手を差し込んで棒状部材２のビス止め作業を行う必要もなく、より簡単に棒状部材２の設置を行うことができる。
【００５３】
また、デッキプレート５０上へのビス止め作業は、ボルト立設の取付板への、小さな長さ寸法であるビス差込を、配筋の隙間から行ったり、その状態での締結作業を行うため、作業者が座り込んで行う必要があり、多くの鋼管スリーブ６０を設置する場合には、立ったり座ったりの連続作業が続くことに加え、座り込んだ状態での作業時間も長くなるため、作業者への負担が大きい。これに対し、本実施形態では、立ち姿勢のまま、鋼管スリーブ６０や棒状部材２等の設置作業を行うことができるため、作業者にかかる負担を軽減し、作業効率を向上させることができる。
【００５４】
また、本実施形態では、鋼管スリーブ６０や棒状部材２等を設置するにあたり、デッキプレート５０上の１箇所に取付孔５１を形成するだけで良いため、複数箇所にビス止めを行う従来技術のように、その作業中に鋼管スリーブ６０や棒状部材２等の設置位置がずれてしまうおそれも少ない。
【００５５】
また、鋼管スリーブ６０や棒状部材２等を固定するためのビスや取付台等を必要としないため、部品点数の削減を図ることができると共に、蓋部材４や棒状部材２等の取外しや再利用も行い易くなる。
【００５６】
尚、デッキプレート５０に形成した取付孔５１に対し、デッキプレート５０下面側（階下側）から棒状部材２等を差し込み立設する方法も考えられるが、かかる方法では、階下で足場を組んだ高所作業を要すると共に、作業員１人で実施ができない作業となるため、安全性や作業性が著しく低下するおそれがある。これに対し、本実施形態によれば、作業員１人でデッキプレート５０上面側（階上側）にて作業を行うことができる。
【００５７】
結果として、本実施形態によれば、作業者の手間数の削減、工事時間の短縮、コスト削減等を図ることができる。
【００５８】
また、本実施形態のスリーブ設置用治具１を使用することにより、径の異なる多様な鋼管スリーブ６０等に対応することができ、汎用性を高めることができる。
【００５９】
さらに、本実施形態のスリーブ設置用治具１は、係止部３が棒状部材２の下端部を鉤状に折り曲げることにより形成されているため、比較的安価に形成することができ、コスト削減を図ることができる。加えて、棒状部材２と係止部３とのなす角度αが７０°となるように形成されているため、係止部３をデッキプレート５０の取付孔５１に差込みやすく、デッキプレート５０下面に安定して係止させることができる。
【００６０】
また、棒状部材２に落下防止部材６が設けられることにより、作業者が誤って棒状部材２から手を離した場合でも、落下防止部材６がデッキプレート５０の取付孔５１の縁に引っ掛かることで、棒状部材２が階下に落下するのを防止することができ、安全性を向上させることができる。
【００６１】
加えて、蓋部材４から突出した棒状部材２の上端部に被せられるキャップ部材７を備えることにより、作業者の安全性を高めると共に、棒状部材２の上端部にコンクリート６５が付着し、蓋部材４を取外せなくなる等の不具合を防止することができる。
【００６２】
以上説明した実施形態において、例えば、次のように構成の一部を適宜変更して実施することも可能である。勿論、以下において例示しない他の変更例も当然可能である。
【００６３】
（ａ）上記実施形態に係る棒状部材２は、その太さが約１０ｍｍの既存の長尺ボルトを利用して形成されているが、棒状部材２の太さや材質などその構成は上記実施形態に限定されるものではない。
【００６４】
（ｂ）上記実施形態に係る係止部３は、棒状部材２の下端部を鉤状（Ｌ字状）に折り曲げることにより一体的に形成されているが、係止部３の構成はこれに限定されるものではない。
【００６５】
例えば上記実施形態では、棒状部材２と係止部３とのなす角度αが７０°となっているが、これとは異なる角度としてもよい。但し、棒状部材２と係止部３とのなす角度αが６０°以上９０°以下（特に、７０°以下）となることが好ましい。棒状部材２と係止部３とのなす角度が６０°未満の場合には、係止部３をデッキプレート５０の取付孔５１に差込みにくくなる。逆に９０°を超える場合には  係止部３をデッキプレート５０下面に安定して係止させることができないおそれがある。
【００６６】
また、棒状部材２に対しこれとは別体の係止部３を取付けた構成としてもよい。例えば、デッキプレート５０の取付孔５１に棒状部材２を差し込むと、傘のように開く係止部を備えた構成としてもよい。
【００６７】
（ｃ）上記実施形態に係る蓋部材４は鋼鉄製の平板により形成されているが、蓋部材４の形状や材質などその構成は上記実施形態に限定されるものではない。例えば、鋼管スリーブ６０の側面部まで被さるように断面凹状のものであってもよい。
【００６８】
（ｄ）上記実施形態に係る固定部材５は、棒状部材２に螺着可能な既存のナットを利用して形成されているが、固定部材５の構成は上記実施形態に限定されるものではない。少なくとも蓋部材４を介して鋼管スリーブ６０をデッキプレート５０へ押圧固定することができるものであればよい。
【００６９】
（ｅ）上記実施形態に係る落下防止部材６は、棒状部材２に螺着可能な既存のナットを利用して形成されているが、これに限らず、デッキプレート５０の取付孔５１からの棒状部材２の落下を防止できる構成であれば、どのような構成のものであってもよい。例えば、棒状部材２に一体形成された構成としてもよい。
【００７０】
（ｆ）上記実施形態に係るキャップ部材７はゴム材料や樹脂材料等により形成されているが、キャップ部材７の材質などその構成は上記実施形態に限定されるものではない。また、キャップ部材７を省略した構成としてもよい。
【００７１】
（ｇ）上記実施形態では、鋼管スリーブ６０を設置対象としているが、設置されるスリーブはこれに限定されるものではなく、例えば合成樹脂製や紙製のスリーブであってもよい。
【００７２】
（ｈ）上記実施形態では、鋼管スリーブ６０が略平板状のデッキプレート５０上に設置される構成となっているが、これに限らず、例えば波型のデッキプレートの凹部などに鋼管スリーブ６０を設置する構成としてもよい。
【００７３】
（ｉ）上記実施形態では、特に言及しなかったが、デッキプレート５０に対し取付孔５１を穿設するにあたり、縦長の治具、例えば柄の長いポンチや、長いシャフトを備えた電動ドリル等を用いて、取付孔５１の穿設作業も立ち姿勢のまま行うようにすれば、より作業者への負担を軽減することができる。さらに、取付孔５１の穿設位置をマーキングする墨だし作業も立ち姿勢のまま行うようにすれば、さらに作業者への負担を軽減することができる。
【符号の説明】
【００７４】
１…スリーブ設置用治具、２…棒状部材、３…係止部、４…蓋部材、５…固定部材、６…落下防止部材、７…キャップ部材、５０…デッキプレート、５１…取付孔、６０…鋼管スリーブ、６５…コンクリート、７０…床スラブ。
【図１】
0005709129.tif 000002
【図２】
0005709129.tif 000003
【図３】
0005709129.tif 000004
【図４】
0005709129.tif 000005
【図５】
0005709129.tif 000006
【図６】
0005709129.tif 000007